(57)【要約】【課題】発光手段によりキー孔に光を照射してイグニッションキーの挿入時の操作性を向上することができるとともに、シャッター及び発光手段のハウジングに対するレイアウトの自由度を向上することができるシリンダ錠の保護装置を提供する。【解決手段】シャッター２及び発光手段１０は、ハウジング１を構成するケース部１ａ上に形成されるとともに、発光手段１０からキー孔Ｒａに照射される光の照射範囲αにおけるシャッター２とケース部１ａとの間には、当該光を通過させ得る隙間ｔが形成されたものである。【選択図】図２６
2015045179.tif 000002
【特許請求の範囲】
【請求項１】
イグニッションキーを挿入し得るキー孔が形成されたロータを覆って取り付けられたハウジングと、
該ハウジング内で閉塞位置と開放位置との間で移動可能とされ、閉塞位置で前記キー孔を塞ぐとともに開放位置で当該キー孔を開放するシャッターと、
前記シャッターを閉塞位置から開放位置まで移動させ得る開放手段と、
該開放手段によって前記シャッターを閉塞位置から開放位置まで移動させた際、前記キー孔に光を照射し得る発光手段と、
を具備するとともに、前記キー孔に挿通されたイグニッションキーの回転操作により、車両が具備するエンジンを始動させるオン位置、当該エンジンを停止させるオフ位置、及び車両が具備するハンドルバーをロックするロック位置の間をロータが回転可能とされたシリンダ錠の保護装置であって、
前記シャッター及び発光手段は、前記ハウジングを構成するケース部上に形成されるとともに、前記発光手段から前記キー孔に照射される光の照射範囲における前記シャッターとケース部との間には、当該光を通過させ得る隙間が形成されたことを特徴とするシリンダ錠の保護装置。
【請求項２】
略円筒状に形成されるとともに、前記ケース部に対して回転可能とされた回転部材と、
該回転部材をロックして回転を規制するロック手段と、
前記ロック手段のロックを解除して前記回転部材を回転させ得る解錠手段と、
前記回転部材の回転により前記シャッターを前記閉塞位置から開放位置まで移動させ得る手動操作手段と、
を具備し、前記シャッターは、前記回転部材の側面において周方向に亘って形成された段部に回転自在に取り付けられることにより、前記ケース部との間で前記隙間が形成されたことを特徴とする請求項１記載のシリンダ錠の保護装置。
【請求項３】
前記開放手段は、遠隔操作によって前記シャッターを閉塞位置から開放位置まで移動させ得るとともに、
遠隔操作によって作動し得るアクチュエータと、
前記ハウジング内の第１位置から第２位置までスライド可能とされ、当該第１位置から第２位置にスライドする過程で、前記シャッターを連動させて前記閉塞位置から開放位置まで移動させ得る開放スライダと、
前記開放スライダを前記第１位置から第２位置に向かって付勢する開放用付勢手段と、
前記開放スライダを第１位置で係止するとともに、前記アクチュエータの作動によって当該係止を解除し得る開放用係止手段と、
を有したことを特徴とする請求項１又は請求項２記載のシリンダ錠の保護装置。
【請求項４】
前記キー孔に挿入されたイグニッションキーの回転操作及び当該キー孔からの抜き取りに応じて動作するカム部材を具備するとともに、前記ロータがロック位置にあり、且つ、イグニッションキーがキー孔から抜き取られた際、当該カム部材の動作によって前記シャッターを開放位置から閉塞位置に移動させることを特徴とする請求項１〜３の何れか１つに記載のシリンダ錠の保護装置。
【請求項５】
前記シャッターと連動可能とされるとともに、非作動位置及び作動位置の間で移動可能とされ、非作動位置から作動位置に移動することで前記シャッターを開放位置から閉塞位置に移動させ得る作動部材と、
該作動部材を非作動位置から作動位置に向かって常時付勢する閉塞用付勢手段と、
前記作動部材を非作動位置で係止するとともに、前記ロータがロック位置にあり、且つ、イグニッションキーがキー孔から抜き取られた際の前記カム部材の動作によって当該係止が解除される閉塞用係止手段と、
を具備したことを特徴とする請求項４記載のシリンダ錠の保護装置。
【発明の詳細な説明】
【技術分野】
【０００１】
本発明は、二輪車などが具備するシリンダ錠の破壊等を防止し得るシリンダ錠の保護装置に関するものである。
【背景技術】
【０００２】
二輪車のシリンダ錠は、通常、イグニッションキーを挿抜可能なキー孔が形成されたロータを具備しており、従来、第三者によるはさみやドライバ等の当該キー孔への差し込みでシリンダ錠がいたずらされて破壊されるのを防止するために、シリンダ錠の保護装置が提案されている。かかる保護装置は、例えば特許文献１に開示されているように、キー孔を閉状態とする閉塞位置から当該キー孔を開状態とする開放位置まで移動可能なシャッターと、該シャッターを開放位置と閉塞位置との間で移動自在に保持するハウジングと、シャッターを閉塞位置に保持することによりキー孔を閉塞して施錠するマグネット錠と、磁石の磁気によりマグネット錠を解錠するマグネットキーを具備していた。
【０００３】
さらに、上記の特許文献で開示された従来のシリンダ錠の保護装置は、リモートコントローラ等による遠隔操作で正逆転するモータ或いは電磁ソレノイド等の駆動源を有し、マグネットキーによる手動操作に加え、当該リモートコントローラ等による遠隔操作によってもシャッターを開閉させ得るよう構成されていた。これにより、シャッターによるキー孔の開閉動作を、手動操作に加えて遠隔操作にて行うことができ、操作性を向上させることができる。
【先行技術文献】
【特許文献】
【０００４】
【特許文献１】特開２００１−３１７２４３号公報
【発明の概要】
【発明が解決しようとする課題】
【０００５】
しかしながら、上記従来のシリンダ錠の保護装置は、以下の如き問題があった。
すなわち、夜間等、周囲が暗い状況においては、シャッターを開放状態としても、イグニッションキーを挿入するキー孔を目視することが困難な場合があることから、ＬＥＤ等の発光手段を配設し、当該キー孔に発光手段から光を照射してイグニッションキーの挿入操作を容易にすることが近時において検討されているが、その場合、発光手段とキー孔の配設位置との間にシャッターがあると、そのシャッターにて光が遮られてしまうという不具合がある。
【０００６】
しかるに、かかる不具合を解消すべく、発光手段とキー孔の配設位置との間にシャッターが介在しないよう設計することもできるが、シャッターが閉塞位置から開放位置まで移動するものの場合、発光手段の配設する位置が極めて限定されてしまい、シャッター及び発光手段のハウジングに対するレイアウトの自由度に著しい制限を受けることとなってしまう。
【０００７】
本発明は、このような事情に鑑みてなされたもので、発光手段によりキー孔に光を照射してイグニッションキーの挿入時の操作性を向上することができるとともに、シャッター及び発光手段のハウジングに対するレイアウトの自由度を向上することができるシリンダ錠の保護装置を提供することにある。
【課題を解決するための手段】
【０００８】
請求項１記載の発明は、イグニッションキーを挿入し得るキー孔が形成されたロータを覆って取り付けられたハウジングと、該ハウジング内で閉塞位置と開放位置との間で移動可能とされ、閉塞位置で前記キー孔を塞ぐとともに開放位置で当該キー孔を開放するシャッターと、前記シャッターを閉塞位置から開放位置まで移動させ得る開放手段と、該開放手段によって前記シャッターを閉塞位置から開放位置まで移動させた際、前記キー孔に光を照射し得る発光手段とを具備するとともに、前記キー孔に挿通されたイグニッションキーの回転操作により、車両が具備するエンジンを始動させるオン位置、当該エンジンを停止させるオフ位置、及び車両が具備するハンドルバーをロックするロック位置の間をロータが回転可能とされたシリンダ錠の保護装置であって、前記シャッター及び発光手段は、前記ハウジングを構成するケース部上に形成されるとともに、前記発光手段から前記キー孔に照射される光の照射範囲における前記シャッターとケース部との間には、当該光を通過させ得る隙間が形成されたことを特徴とする。
【０００９】
請求項２記載の発明は、請求項１記載のシリンダ錠の保護装置において、略円筒状に形成されるとともに、前記ケース部に対して回転可能とされた回転部材と、該回転部材をロックして回転を規制するロック手段と、前記ロック手段のロックを解除して前記回転部材を回転させ得る解錠手段と、前記回転部材の回転により前記シャッターを前記閉塞位置から開放位置まで移動させ得る手動操作手段とを具備し、前記シャッターは、前記回転部材の側面において周方向に亘って形成された段部に回転自在に取り付けられることにより、前記ケース部との間で前記隙間が形成されたことを特徴とする。
【００１０】
請求項３記載の発明は、請求項１又は請求項２記載のシリンダ錠の保護装置において、前記開放手段は、遠隔操作によって前記シャッターを閉塞位置から開放位置まで移動させ得るとともに、遠隔操作によって作動し得るアクチュエータと、前記ハウジング内の第１位置から第２位置までスライド可能とされ、当該第１位置から第２位置にスライドする過程で、前記シャッターを連動させて前記閉塞位置から開放位置まで移動させ得る開放スライダと、前記開放スライダを前記第１位置から第２位置に向かって付勢する開放用付勢手段と、前記開放スライダを第１位置で係止するとともに、前記アクチュエータの作動によって当該係止を解除し得る開放用係止手段とを有したことを特徴とする。
【００１１】
請求項４記載の発明は、請求項１〜３の何れか１つに記載のシリンダ錠の保護装置において、前記キー孔に挿入されたイグニッションキーの回転操作及び当該キー孔からの抜き取りに応じて動作するカム部材を具備するとともに、前記ロータがロック位置にあり、且つ、イグニッションキーがキー孔から抜き取られた際、当該カム部材の動作によって前記シャッターを開放位置から閉塞位置に移動させることを特徴とする。
【００１２】
請求項５記載の発明は、請求項４記載のシリンダ錠の保護装置において、前記シャッターと連動可能とされるとともに、非作動位置及び作動位置の間で移動可能とされ、非作動位置から作動位置に移動することで前記シャッターを開放位置から閉塞位置に移動させ得る作動部材と、該作動部材を非作動位置から作動位置に向かって常時付勢する閉塞用付勢手段と、前記作動部材を非作動位置で係止するとともに、前記ロータがロック位置にあり、且つ、イグニッションキーがキー孔から抜き取られた際の前記カム部材の動作によって当該係止が解除される閉塞用係止手段とを具備したことを特徴とする。
【発明の効果】
【００１３】
請求項１の発明によれば、シャッター及び発光手段は、ハウジングを構成するケース部上に形成されるとともに、発光手段からキー孔に照射される光の照射範囲におけるシャッターとケース部との間には、当該光を通過させ得る隙間が形成されたので、発光手段によりキー孔に光を照射してイグニッションキーの挿入時の操作性を向上することができるとともに、シャッター及び発光手段のハウジングに対するレイアウトの自由度を向上することができる。
【００１４】
請求項２の発明によれば、シャッターは、回転部材の側面において周方向に亘って形成された段部に回転自在に取り付けられることにより、ケース部との間で隙間が形成されたので、回転部材が、シャッターの回転軸としての機能と、シャッターとケース部との間で隙間を保持する機能とを兼ね備えることができ、部品点数の削減及び装置の小型化を図ることができる。
【００１５】
請求項３の発明によれば、開放手段は、遠隔操作によってシャッターを閉塞位置から開放位置まで移動させ得るとともに、遠隔操作によって作動し得るアクチュエータと、ハウジング内の第１位置から第２位置までスライド可能とされ、当該第１位置から第２位置にスライドする過程で、シャッターを連動させて閉塞位置から開放位置まで移動させ得る開放スライダと、開放スライダを前記第１位置から第２位置に向かって付勢する開放用付勢手段と、開放スライダを第１位置で係止するとともに、アクチュエータの作動によって当該係止を解除し得る開放用係止手段とを有したので、構成を簡素化してシャッターの閉塞位置から開放位置への移動を円滑且つ確実に行わせることができる。
【００１６】
請求項４の発明によれば、キー孔に挿入されたイグニッションキーの回転操作及び当該キー孔からの抜き取りに応じて動作するカム部材を具備するとともに、ロータがロック位置にあり、且つ、イグニッションキーがキー孔から抜き取られた際、当該カム部材の動作によってシャッターを開放位置から閉塞位置に移動させるので、駐車時にロータをロック位置まで操作してハンドルバーをロックさせる場合に限ってシャッターを自動的に閉塞位置まで移動させることができる。
【００１７】
したがって、運転者が防犯を意識した状態（すなわち、ロータをロック位置まで操作してキー孔からイグニッションキーを抜き取る際）において、ハンドルバーのロックに加え、シャッターを自動的に閉塞位置まで移動させるとともに、防犯を意識しない状態（すなわち、ロータがオフ位置にあるときキー孔からイグニッションキーを抜き取る際）において、シャッターを自動的には閉塞位置まで移動させない構成とすることができ、防犯性の向上と利便性の両立を図ることができる。
【００１８】
請求項５の発明によれば、シャッターと連動可能とされるとともに、非作動位置及び作動位置の間で移動可能とされ、非作動位置から作動位置に移動することでシャッターを開放位置から閉塞位置に移動させ得る作動部材と、作動部材を非作動位置から作動位置に向かって常時付勢する閉塞用付勢手段と、作動部材を非作動位置で係止するとともに、ロータがロック位置にあり、且つ、イグニッションキーがキー孔から抜き取られた際のカム部材の動作によって当該係止が解除される閉塞用係止手段とを具備したので、構成を簡素化してシャッターの開放位置から閉塞位置への移動を円滑且つ確実に行わせることができる。
【図面の簡単な説明】
【００１９】
【図１】本発明の実施形態に係るシリンダ錠の保護装置を示す平面図及び側面図
【図２】同シリンダ錠の保護装置を示す分解斜視図
【図３】同シリンダ錠の保護装置の内部を示す斜視図
【図４】同シリンダ錠の保護装置におけるシャッターを示す３面図
【図５】同シリンダ錠の保護装置における閉塞用スライダを示す４面図
【図６】同シリンダ錠の保護装置における開放用スライダを示す３面図
【図７】同シリンダ錠の保護装置におけるカム部材を示す３面図
【図８】同シリンダ錠の保護装置における回転部材を示す３面図
【図９】同シリンダ錠の保護装置における手動操作手段を示す２面図
【図１０】同シリンダ錠の保護装置における回転部材及びロック手段を示す断面模式図であって、（ａ）回転部材がロック手段によりロックされた状態を示す模式図、（ｂ）マグネットキーによってロックが解除された状態を示す模式図
【図１１】同シリンダ錠の保護装置におけるイグニッションキー及びマグネットキーを示す平面図及び正面図
【図１２】同シリンダ錠の保護装置の内部構成を示す図であって、開放スライダが第１位置で係止された状態を示す斜視図
【図１３】図１２の状態から係止が解除された状態を示す斜視図
【図１４】図１３の状態から開放スライダが第２位置までスライドした状態を示す平面模式図
【図１５】同シリンダ錠の保護装置における開放スライダ（通常時）を示す断面図
【図１６】同シリンダ錠の保護装置における開放スライダ（逃がし方向への移動時）を示す断面図
【図１７】同シリンダ錠の保護装置における開放スライダとカム部材との関係を示す模式図（開放スライダが第２位置、且つ、カム部材がオフ位置）
【図１８】同シリンダ錠の保護装置における開放スライダとカム部材との関係を示す模式図（開放スライダが第２位置から第１位置に向かってスライド、且つ、カム部材がオフ位置からロック位置に向かって回転）
【図１９】同シリンダ錠の保護装置における開放スライダとカム部材との関係を示す模式図（開放スライダが第１位置、且つ、カム部材がロック位置に向かって回転）
【図２０】同シリンダ錠の保護装置における開放スライダとカム部材との関係を示す模式図（開放スライダが逃がし方向に移動、且つ、カム部材がロック位置に向かって回転）
【図２１】同シリンダ錠の保護装置における開放スライダとカム部材との関係を示す模式図（開放スライダが第１位置、且つ、カム部材がロック位置）
【図２２】同シリンダ錠の保護装置における開放スライダとカム部材との関係を示す模式図（開放スライダが第２位置、且つ、カム部材がロック位置からオフ位置に向かって移動）
【図２３】同シリンダ錠の保護装置における開放スライダとカム部材との関係を示す模式図（開放スライダが第２位置、且つ、カム部材がオフ位置に向かって移動）
【図２４】同シリンダ錠の保護装置における開放スライダとカム部材との関係を示す模式図（開放スライダが逃がし方向に移動、且つ、カム部材がオフ位置に向かって移動）
【図２５】同シリンダ錠の保護装置における開放スライダとカム部材との関係を示す模式図（開放スライダが第２位置、且つ、カム部材がオフ位置）
【図２６】同シリンダ錠の保護装置における発光手段による光の照射範囲を示す模式図
【図２７】同シリンダ錠の保護装置におけるシャッターとケース部との間の隙間を示す模式図
【図２８】同シリンダ錠の保護装置における閉塞用係止手段を示す模式図であって、閉塞用係止手段によって作動部材が係止された状態を示す模式図
【図２９】同シリンダ錠の保護装置における閉塞用係止手段を示す模式図であって、閉塞用係止手段による作動部材の係止が解除された状態を示す模式図
【図３０】同シリンダ錠の保護装置におけるシャッターが開放スライダの係止部にて係止された状態を示す平面模式図
【図３１】同シリンダ錠の保護装置における回転部材と手動操作手段との位置関係を示す模式図
【図３２】同シリンダ錠の保護装置における手動操作手段によって開放用係止手段によるシャッターの係止が解除された状態を示す斜視図
【図３３】同シリンダ錠の保護装置における動作を示す模式図であって、開放スライダが第１位置、且つ、シャッターが閉塞状態を示す図
【図３４】同シリンダ錠の保護装置における動作を示す模式図であって、ソレノイドが作動して開放スライドの係止が解除され、開放スライダが第２位置の状態を示す図
【図３５】同シリンダ錠の保護装置における動作を示す模式図であって、ソレノイドが非作動状態とされ、且つ、発光手段による光の照射がなされた状態を示す図
【図３６】同シリンダ錠の保護装置における動作を示す模式図であって、キー孔にイグニッションキーが挿通された状態（ロック位置）を示す図
【図３７】同シリンダ錠の保護装置における動作を示す模式図であって、キー孔にイグニッションキーが挿通された状態（オフ位置）を示す図
【図３８】同シリンダ錠の保護装置における動作を示す模式図であって、キー孔にイグニッションキーが挿通された状態（オン位置）を示す図
【図３９】同シリンダ錠の保護装置における動作を示す模式図であって、図３３の状態から手動開放手段の操作によって開放スライドの係止が解除された状態を示す図
【図４０】同シリンダ錠の保護装置における動作を示す模式図であって、図３７の状態からイグニッションキーをオフ位置からロック位置に向かって移動させる状態を示す図
【発明を実施するための形態】
【００２０】
以下、本発明の実施形態について図面を参照しながら具体的に説明する。
本実施形態に係るシリンダ錠の保護装置は、二輪車が具備するシリンダ錠のキー孔上方に設けられ、当該キー孔を外側から開放又は閉塞することによりシリンダ錠を保護し得るもので、図１〜１１に示すように、ハウジング１と、シャッター２と、開放手段を構成するアクチュエータとしての電磁ソレノイドＡ、開放スライダ３、開放用付勢手段４及び開放用係止手段５と、カム部材６と、作動部材７と、閉塞用付勢手段８と、閉塞用係止手段９と、発光手段１０と、手動開放手段を構成する回転部材１１、解錠手段としてのマグネットキーＭＫ（図１１参照）及び手動操作手段１２と、リモートコントローラＥ（図１参照）とから主に構成されている。
【００２１】
ハウジング１は、二輪車が具備するロータＲ（図１、２参照）を覆って取り付けられ、上記のマグネットキーＭＫ及びリモートコントローラＥを除く各種構成要素を内部に収容するとともに、二輪車のシリンダ錠を構成するシリンダボディＳ（図１参照）の上端部を収容し得るようになっている。かかるシリンダボディＳ内には、複数のタンブラを具備したロータＲが配設されるとともに、当該ロータＲには、キー孔Ｒａが形成されてイグニッションキーＩＫを挿抜（抜き差し）し得るよう構成されている。
【００２２】
具体的には、ハウジング１は、ケース部１ａと、蓋部１ｂとから主に構成されており、当該ケース部１ａの上部に蓋部１ｂを取り付けることにより、内部に保護装置を構成する各種構成要素を収容可能な収容空間が形成されるようになっている。なお、蓋部１ｂには、キー孔Ｒａを外部に臨ませ得る開口Ｈ１及び回転部材１１の部位ｆを外部に臨ませ得る開口Ｈ２が形成されるとともに、ケース部１ａには、シリンダ錠の上端部（ロータＲが配設された部位）を挿通可能な開口Ｈ３（図２参照）が形成されている。
【００２３】
また、ロータＲは、キー孔ＲａにイグニッションキーＩＫを挿入した状態にて回動操作可能とされており、二輪車が具備するエンジンを始動させるオン位置（「ＯＮ」なる表示が蓋部１ｂ等になされた位置）、当該エンジンを停止させるオフ位置（「ＯＦＦ」なる表示が蓋部１ｂ等になされた位置）、及び車両が具備するハンドルバーをロックするロック位置（「ＬＯＣＫ」なる表示が蓋部１ｂ等になされた位置）の間を回動可能とされている。
【００２４】
なお、ロータＲがオフ位置にあるとき、キー孔Ｒａに挿入したイグニッションキーＩＫを押圧して押し込み、その状態で図１中左側へ回動させることにより、ロック位置までの回動操作が可能とされている。このロック位置にロータＲが移動すると、シリンダボディＳ内のロックバー（不図示）が突出するよう構成されており、当該ロックバーがハンドルバーの回動軸に形成されたロック孔（不図示）内に挿入して係止することにより、当該ハンドルバーに対するロックがなされるようになっている。
【００２５】
シャッター２は、ハウジング１内で閉塞位置（図１２参照）と開放位置（図１４参照）との間で移動（回転部材１１を中心とした回動）可能とされ、閉塞位置でキー孔Ｒａを塞ぐとともに開放位置でキー孔Ｒａを開放し得るものである。かかるシャッター２は、図４に示すように、円環状の嵌合孔２ａが形成されており、回転部材１１の段部１１ｃに当該嵌合孔２ａを嵌合して組み付ける（図１０、２７参照）ことで、ボス部Ｂ及び回転部材１１を中心に回動可能とされている。
【００２６】
また、シャッター２は、遮蔽部２ｄを有しており、開放位置においては、図３４に示すように、当該遮蔽部２ｄがキー孔Ｒａを避けた位置とされて当該キー孔Ｒａを開放するとともに、閉塞位置においては、図３３に示すように、当該遮蔽部２ｄがキー孔Ｒａを覆って塞ぐ（外部から遮蔽する）ようになっている。さらに、シャッター２は、作動部材７の係止部７ａ（図５参照）に押圧され得る被係止部２ｂが形成されており、当該作動部材７が移動するのに伴って連動し、開放位置から閉塞位置に回転し得るようになっている。またさらに、本実施形態に係るシャッター２は、その遮蔽部２ｄの突端側に凸部２ｃが形成されている。
【００２７】
電磁ソレノイドＡ、開放スライダ３、開放用付勢手段４及び開放用係止手段５は、本発明の開放手段を構成するもので、運転者が携帯し得るリモートコントローラＥの操作ボタンＧ（図１参照）を押圧することによる遠隔操作によってシャッター２を閉塞位置から開放位置まで移動させ得るものである。すなわち、操作ボタンＧが押圧操作されると、例えば電波による制御信号が発信され、当該制御信号を受信することで電磁ソレノイドＡに対する通電がなされ、シャッター２を閉塞位置から開放位置まで移動し得るよう構成されているのである。なお、電波による制御信号の発信に限定されるものではなく、例えば赤外線等により制御信号を発信して遠隔操作するようにしてもよく、或いは後述するイグニッションキーＩＫの把持部（図１１参照）に操作部を設けてリモートコントローラを兼用させるようにしてもよい。
【００２８】
電磁ソレノイドＡは、ケース部１ａの側面に取り付けられたアクチュエータから成り、遠隔操作によって内部のコイル（不図示）に通電されてプランジャＰ（図１２、１３参照）を作動（本実施形態においては、通電によりプランジャＰが同図中下方に移動）させ得るよう構成されている。なお、本実施形態においては電磁ソレノイドＡを用いているが、当該電磁ソレノイドＡに代えて、遠隔操作によって作動し得る他の汎用的なアクチュエータ（例えばモータ等）としてもよい。
【００２９】
開放スライダ３は、ハウジング１におけるケース部１ａに形成された溝形状の凹部１ａａ内に配設されるとともに、その凹部１ａａ内における第１位置（図１２参照）から第２位置（図１４参照）までスライド可能とされ、当該第１位置から第２位置にスライドする過程で、シャッター２を連動させて閉塞位置から開放位置まで移動させ得るものである。かかる開放スライダ３は、図６に示すように、アーム部３ａと、該アーム部の突端側に形成された係止部３ｂと、開放用付勢手段４の一端を受け得る受け部３ｃと、収容穴３ｄとが形成されている。
【００３０】
開放用付勢手段４は、開放スライダ３を第１位置から第２位置に向かって付勢するもので、本実施形態においてはコイルスプリングから成る。すなわち、開放用付勢手段４は、凹部１ａａ内に収容された開放スライダ３の受け部３ｃに一端を、当該凹部１ａａの壁面に他端をそれぞれ当接させつつ組み付けられることにより、開放スライダ３に対して付勢力を付与し得るよう構成されているのである。なお、開放用付勢手段４の付勢力は、閉塞用付勢手段８の付勢力より大きくなるよう設定されている。
【００３１】
一方、開放スライダ３のアーム部３ａは、第１位置から第２位置にスライドする過程でシャッター２を押圧することで当該シャッター２を閉塞位置から開放位置まで移動させ得るとともに、突端側に閉塞位置にあるシャッター２を係止して開放位置への移動を規制する係止部３ｂが形成されたものである。すなわち、図３０に示すように、開放スライダ３が第１位置にあり、且つ、シャッター２が閉塞位置にある状態において、アーム部３ａの突端側でフック状に形成された係止部３ｂがシャッター２の凸部２ｃを係止した状態とされており、シャッター２の開放位置側への移動を規制するとともに、開放スライダ３が第１位置から第２位置に移動すると、当該係止が解かれ、アーム部３ａが凸部２ｃを介してシャッター２を押圧することで、当該シャッター２を開放位置まで回動させるのである。
【００３２】
開放用係止手段５は、開放スライダ３を第１位置で係止するとともに、電磁ソレノイドＡ（アクチュエータ）の作動によって当該係止を解除し得るもので、図１２、１３に示すように、開放用付勢手段４の付勢力に抗して開放スライダ３（具体的には、アーム部３ａ）を係止し得る係止爪５ａと、電磁ソレノイドＡのプランジャＰと連結された作動爪５ｂと、手動操作手段１２における先端部１２ｃの近傍に位置する被作動爪５ｃとを有している。
【００３３】
かかる開放用係止手段５は、回動軸Ｌを中心に回動自在とされており、バネＳ２によって開放スライダ３を係止する方向に付勢されている。そして、遠隔操作によって電磁ソレノイドＡに通電され、プランジャＰが作動すると、図１３に示すように、作動爪５ｂが図中下方に引っ張られて開放用係止手段５がバネＳ２の付勢力に抗して回動軸Ｌを中心に回動する。これにより、係止爪５ａが図中上方に移動するので、開放スライダ３は、その係止が解除され、開放用付勢手段４の付勢力によって第１位置から第２位置に移動することとなる。なお、電磁ソレノイドＡに対する通電が停止すると、バネＳ２の付勢力によって開放用係止手段５が回動軸Ｌを中心として反対側に回動し、図１４に示すように、元の状態に戻るようになっている。
【００３４】
カム部材６は、キー孔Ｒａに挿入されたイグニッションキーＩＫの回転操作及び当該キー孔Ｒａからの抜き取りに応じて動作するもので、図２、２８、２９に示すように、ロータＲの平面視形状に対応させた外輪郭を有する円板状部材６ａと、該円板状部材６ａ内で摺動可能な摺動部材６ｂとから主に構成されている。かかるカム部材６は、ハウジング１内における開口Ｈ１の直下であってロータＲの上端面（キー孔Ｒａが形成された面）より上方の位置に配設されている。
【００３５】
しかるに、イグニッションキーＩＫをキー孔Ｒａに挿入させる過程において、イグニッションキーＩＫの先端が摺動部材６ｂの基端側部位（円板状部材６ａに対する中央側部位）と当接するよう構成されており、その当接状態から更にイグニッションキーＩＫを挿入させることにより、当該摺動部材６ｂを摺動させて、図２８に示すような状態（イグニッションキーＩＫの挿入状態）とされるようになっている。かかる挿入状態においては、摺動部材６ｂの先端側部位（円弧状部位）が円板状部材６ａの側面と合致して、連続した円弧となるよう設定されている。
【００３６】
一方、イグニッションキーＩＫをキー孔Ｒａから抜き取ると、摺動部材６ｂが元の状態（図２９で示す状態）に戻るよう構成されている。よって、カム部材６は、イグニッションキーＩＫのキー孔Ｒａに対する挿入又は抜き取りに応じて摺動部材６ｂが動作するとともに、キー孔Ｒａに挿入されたイグニッションキーＩＫが回転操作されると、ロータＲと共に回転し得るようになっている。なお、カム部材６がロック位置にあるとき、図２８、２９に示すように、閉塞用係止手段９の当接部９ａが摺動部材６ｂに当接するよう設定されている。
【００３７】
さらに、本実施形態に係るカム部材６（具体的には、円板状部材６ａ）には、図７に示すように、所定方向に延びた延設部６ｃが一体形成されている。かかる延設部６ｃは、カム部材６がハウジング１に組み付けられた状態で、当該カム部材６から開放スライダ３のアーム部３ａまで延設されるとともに、イグニッションキーＩＫの回転操作に伴う当該カム部材６の動作によって、開放用付勢手段４の付勢力に抗して開放スライダ３を第２位置から第１位置まで移動させ、開放用係止手段５による係止を行わせ得るよう構成されている。
【００３８】
より具体的には、本実施形態に係る延設部６ｃは、カム部材６がオフ位置にあるとき、図１７で示す位置とされるとともに、キー孔Ｒａに挿入されたイグニッションキーＩＫをオフ位置からロック位置まで回転操作する過程において、図１８に示すように、当接部６ｃａが開放スライダ３のアーム部３ａと当接して図中左側（第１位置側）へ押圧し、当該開放スライダ３を連動させて第２位置から第１位置まで移動（図１９参照）させるようになっている。なお、図１９で示す状態においては、カム部材６は未だロック位置に至っていない。
【００３９】
ここで、本実施形態に係る開放スライダ３は、スライド方向Ｘ（図１２、１３参照）とは異なる逃がし方向Ｙ（同図及び図１５、１６参照）に移動して延設部６ｃにおける当接部６ｃａの移動軌跡から退避可能とされている。すなわち、本実施形態に係る開放スライダ３は、図６に示すように、所定部位（本実施形態においては、アーム部３ａを挟んだ左右の位置）に一対の収容穴３ｄが形成されており、図１５、１６に示すように、当該収容穴３ｄにバネＳ３及びスチールボールｂが収容されている。
【００４０】
一方、開放スライダ３及び開放用付勢手段４が配設された凹部１ａａには、板状のカバー部材１３がネジにて取り付けられており、スチールボールｂが当該カバー部材１３の下面に当接するよう組み付けられている。これにより、開放スライダ３は、通常時、バネＳ３の付勢力によって、図１５に示すように、下方（凹部１ａａの底面側）に押しつけられた状態とされ、その状態が維持されつつスライド方向Ｘにスライド可能とされている。そして、アーム部３ａに対して上方に向かう力（スライド方向Ｘと略直交する力）が付与されると、図１６に示すように、バネＳ３が圧縮されて開放スライダ３が所定寸法ｈだけ上方（すなわち、スライド方向Ｘと略直交する逃がし方向Ｙ）に移動することとなる。
【００４１】
すなわち、開放スライダ３が通常状態（図１５で示す状態）にあるとき、アーム部３ａがカム部材６における当接部６ｃａの移動軌跡内に位置するので、当該当接部６ｃａにアーム部３ａが押圧されてカム部材６の動作と連動して開放スライダ３が移動し得るとともに、開放スライダ３が逃がし方向Ｙに移動すると、アーム部３ａがカム部材６における当接部６ｃａの移動軌跡から退避した位置となるので、開放スライダ３のスライド方向Ｘの移動を回避（停止）させつつ当接部６ｃａをアーム部３ａの下方にて通過させることができ、カム部材６の動作を継続して行わせることができるよう構成されているのである。
【００４２】
これにより、図１９で示すように、開放スライダ３が第１位置に達した状態において、更にカム部材６をロック位置に向かって動作（回転）させると、アーム部３ａが開放用係止手段５の被作動爪５ｃにてスライド方向Ｘの更なる移動が規制されている（図１２参照）ため、アーム部３ａに対して当接部６ｃａが干渉した状態で当該アーム部３ａに対して上方に向かう力が作用することとなる。しかして、開放スライダ３は、逃がし方向Ｙに所定寸法ｈだけ移動するので、図２０に示すように、カム部材６の動作（回動）を継続して行わせれば、当該寸法ｈ内で当接部６ｃａが通過し、図２１に示すように、ロック位置まで動作させることが可能とされている。
【００４３】
さらに、開放スライダ３は、第２位置にあるとき、ロック位置からオフ位置に向かって移動するカム部材６における延設部６ｃの当接部６ｃａと干渉して逃がし方向に移動するよう構成されている。すなわち、図２２で示すように、開放スライダ３が第２位置にあり、且つ、カム部材６がロック位置にある状態から、当該カム部材６をオフ位置に向かって動作（回動）させると、図２３で示すように、当接部６ｃａがアーム部３ａに達することとなるが、開放スライダ３のスライド方向Ｘの更なる移動が規制されている（開放スライダ３が凹部１ａａの摺動端に達している）ため、アーム部３ａに対して当接部６ｃａが干渉した状態で当該アーム部３ａに対して上方に向かう力が作用することとなる。しかして、開放スライダ３は、逃がし方向Ｙに所定寸法ｈだけ移動するので、図２４に示すように、カム部材６の動作（回動）を継続して行わせれば、当該寸法ｈ内で当接部６ｃａが通過し、図２５に示すように、オフ位置まで動作させることが可能とされている。
【００４４】
発光手段１０は、上記の如き開放手段によってシャッター２を閉塞位置から開放位置まで移動させた際、キー孔Ｒａに光を照射し得るもので、本実施形態においてはＬＥＤ１０ａから光が照射されるよう構成されている。すなわち、図２６に示すように、ＬＥＤ１０ａによる光の照射範囲αにケース部１ａの開口Ｈ３が含まれるよう設定されており、当該開口Ｈ３にて外部に臨ませたキー孔Ｒａに対して光を照射させ得るのである。本実施形態においては、遠隔操作にて電磁ソレノイドＡに対する通電が行われたことを条件として、一定時間、発光手段１０を点灯させて光をキー孔Ｒａに照射させ得るようになっている。
【００４５】
ここで、本実施形態においては、シャッター２及び発光手段１０は、ケース部１ａ上に形成されるとともに、発光手段１０からキー孔Ｒａに照射される光の照射範囲αにおけるシャッター２とケース部１ａとの間には、当該光を通過させ得る隙間ｔ（図２７参照）が形成されている。これにより、開放状態のシャッター２がキー孔Ｒａの配設位置と発光手段１０との間に位置していても、当該発光手段１０から照射された光をキー孔Ｒａまで至らせることができる。
【００４６】
なお、本実施形態に係る発光手段１０には、当該発光手段１０に電流を流すための配線ｊが延設されており、当該配線ｊの先端にはコネクタＣが取り付けられている。また、本実施形態に係るケース部１ａには、発光手段１０を取り付ける取付孔と連通した切欠き１ａｃが形成されている。これにより、コネクタＣが発光手段１０の取付孔より大きい場合であっても、配線ｊを切欠き１ａｃを介して通過させることにより、当該発光手段１０をケース部１ａの取付孔に容易に取り付けることができる。
【００４７】
さらに、本実施形態においては、遠隔操作によりシャッター２を閉塞位置から開放位置まで移動させ得る開放手段に加え、手動操作によってシャッター２を閉塞位置から開放位置まで移動させ得る手動開放手段を具備している。かかる手動開放手段は、図１０に示すように、回転部材１１と、ロック手段としての磁石Ｍａと、解錠手段としてのマグネットキーＭＫ（図１１参照）と、手動操作手段１２（図９参照）とを有して構成されている。
【００４８】
回転部材１１は、図８、１０に示すように、略円筒状に形成されるとともに、ボス部Ｂに取り付けられることによってケース部１ａに対して回転可能とされたものである。ボス部Ｂには、図１０（ａ）に示すように、複数（本実施形態においては４つ）の凹部Ｂａが形成されており、それぞれの凹部Ｂａ内には、コイルスプリングＳ１によりそれぞれ上方（回転部材１１の裏面側）へ付勢された磁石Ｍａが収容されている。かかる磁石Ｍａ（ロック手段）は、ロック位置にある回転部材１１の凹部１１ａに嵌入するよう構成されており、当該磁石Ｍａが凹部１１ａに嵌入した状態で回転部材１１をロック（回転方向の係合）して回転を規制するようになっている。
【００４９】
解錠手段としてのマグネットキーＭＫは、磁石Ｍａによるロック（係合）を解除し、回転部材１１を手動にて移動させるためのものである。かかるマグネットキーＭＫは、図１１に示すように、イグニッションキーＩＫの把持部に一体成形された部位から成り、内部に磁石Ｍｂを有して成る。そして、図１０（ｂ）に示すように、マグネットキーＭＫを回転部材１１の表面に形成された部位ｆに嵌合させつつ当接させると、磁石Ｍｂと磁石Ｍａとが対向するとともに、これら磁石Ｍｂ、Ｍａは互いに同じ極（Ｓ極とＳ極又はＮ極とＮ極）が対向するよう設定されている。なお、このときマグネットキーＭＫが部位ｆ（回転部材１１の表面）に対して回動方向に嵌合し連れ回し可能とされている。
【００５０】
しかして、マグネットキーＭＫを回転部材１１の部位ｆに嵌合させつつ当接させることにより、磁石Ｍａ、Ｍｂの磁力に伴う反発力で当該磁石ＭａはコイルスプリングＳ１の付勢力に抗して下降し、凹部１１ａとの嵌合が解かれることとなるので、当該マグネットキーＭＫをそのまま回動させることにより、回転部材１１を所定方向に回動させることができる。さらに、回転部材１１には、図８に示すように、径方向に突出した突出部１１ｂが一体形成されており、当該回転部材１１の回転に伴って突出部１１ｂが移動するよう構成されている。
【００５１】
手動操作手段１２は、回転部材１１の回転によりシャッター２を閉塞位置から開放位置まで移動させ得るもので、図９に示すように、被作動部１２ａ、棒状部１２ｂ及び先端部１２ｃを有した長尺状部材から成るものである。かかる手動操作手段１２は、図３に示すように、回転部材１１と開放用係止手段５との間で延設された状態にて組み付けられ、回転部材１１の回転により動作して開放用係止手段５による係止を解除させるよう構成されている。
【００５２】
具体的には、回転部材１１に形成された突出部１１ｂの近傍には、図３１に示すように、手動操作手段１２の被作動部１２ａが位置しており、当該回転部材１１を同図矢印ａ方向に回転させると、被作動部１２ａが突出部１１ｂに押圧されて同図矢印ｂ方向に摺動することとなる。これにより、図３２に示すように、手動操作手段１２の先端部１２ｃが開放用係止手段５を押圧して開放スライダ３の係止を解除する方向に移動させるので、当該開放スライダ３が開放用付勢手段４の付勢力にて第１位置から第２位置に移動し、シャッター２を閉塞位置から開放位置に移動させることができる。
【００５３】
さらに、本実施形態に係る回転部材１１は、図８、２７に示すように、側面において周方向に亘って段部１１ｃが形成されており、当該段部１１ｃにシャッター２が取り付けられている。そして、段部１１ｃがハウジング１のケース部１ａから寸法ｔの高さに形成されていることから、シャッター２は、ケース部１ａの上面との間で隙間ｔが形成されている。これにより、回転部材１１は、シャッター２の回転軸としての機能と、シャッター２とケース部１ａとの間で隙間ｔを保持する機能とを兼ね備えることとなる。
【００５４】
またさらに、本実施形態においては、ロータＲがロック位置にあり、且つ、イグニッションキーＩＫがキー孔Ｒａから抜き取られた際、カム部材６の動作によってシャッター２を開放位置から閉塞位置に移動させるよう構成されており、作動部材７と、閉塞用付勢手段８と、閉塞用係止手段９とを具備している。なお、作動部材７及び閉塞用付勢手段８は、ハウジング１におけるケース部１ａに形成された溝形状の凹部１ａｂ（図２参照）内に配設されている。
【００５５】
作動部材７は、シャッター２と連動可能とされるとともに、凹部１ａｂ内における非作動位置（図２８参照）及び作動位置（図２９参照）の間で移動可能とされ、非作動位置から作動位置に移動することでシャッター２を開放位置から閉塞位置に移動させ得るものである。すなわち、作動部材７は、図５に示すように、係止部７ａが形成されており、非作動位置から作動位置に移動する過程において、当該係止部７ａがシャッター２の被係止部２ｂを押圧することで、当該シャッター２が回転部材１１を中心に回転して開放位置から閉塞位置に至るようになっている。
【００５６】
また、作動部材７には、閉塞用付勢手段８の一端を受ける受け部７ｂ（図５参照）が形成されている。かかる閉塞用付勢手段８は、コイルスプリングから成り、一端がハウジング１のケース部１ａ側に当接するとともに、他端が作動部材７の受け部７ｂに当接して組み付けられており、当該作動部材７を非作動位置から作動位置に向かって常時付勢して構成されている。これにより、作動部材７は、閉塞用係止手段９による係止が解除されると、閉塞用付勢手段８の付勢力にて摺動し、非作動位置から作動位置まで自動的に移動し得るよう構成されている。
【００５７】
閉塞用係止手段９は、作動部材７を非作動位置で係止するとともに、ロータＲがロック位置にあり、且つ、イグニッションキーＩＫがキー孔Ｒａから抜き取られた際のカム部材６の動作によって当該係止が解除されるよう構成されている。具体的には、閉塞用係止手段９は、図２８、２９に示すように、スプリングＳ４、Ｓ５にて付勢されつつハウジング１内に組み付けられた部品から成り、カム部材６（円板状部材６ａ及び摺動部材６ｂ）の外周面に当接した当接部９ａと、作動部材７に形成された被係止部７ｄ（図５参照）に係止可能な係止部９ｂとを有して構成されている。
【００５８】
そして、キー孔ＲａにイグニッションキーＩＫが挿通された状態であり、かつ、カム部材６（ロータＲ）がロック位置まで動作したとき、図２８に示すように、当接部９ａが当該カム部材６の摺動部材６ｂに当接した状態とされるとともに、閉塞用係止手段９の係止部９ｂが被係止部７ｄに係止した状態とされ、作動部材７が非作動位置にて保持される。かかる状態からイグニッションキーＩＫをキー孔Ｒａから抜き取ると、摺動部材６ｂが摺動するとともに、当接部９ａもスプリングＳ４、Ｓ５の付勢力にて追従し、係止部９ｂの非係止部７ｄに対する係止が解除される。これにより、作動部材７は、閉塞用付勢手段８の付勢力によって作動位置まで摺動し、シャッター２を開放位置から閉塞位置まで移動させることができるのである。
【００５９】
ここで、本実施形態に係る作動部材７には、図５に示すように、その摺動方向に沿って手動操作手段１２の動作を案内し得る溝形状の案内部７ｃが形成されている。具体的には、案内部７ｃに沿って手動操作手段１２における棒状部１２ｂを摺動可能に組み付けることで、回転部材１１が回転した際の手動操作手段１２の長手方向の摺動を案内するとともに、回転部材１１が回転しないとき、作動部材７が非作動位置と作動位置との間で移動しても、手動操作手段１２が移動しないようになっている。これにより、作動部材７の移動と手動操作手段１２の移動とを独立して行わせることができる。
【００６０】
次に、本実施形態に係るシリンダ錠の保護装置におけるシャッターを閉塞位置から開放位置に移動させるための動作について説明する。
シャッター２が閉塞状態にあるとき、図３３に示すように、開放スライダ３は、開放用係止手段５にて第１位置で係止されており、この状態で運転者がリモートコントローラＥの操作ボタンＧを押圧すると、図３４に示すように、電磁ソレノイドＡが遠隔操作にて作動し、開放用係止手段５の係止が解除されることで、開放スライダ３が第２位置まで移動する。このとき、発光手段１０のＬＥＤ１０ａが所定時間発光し、キー孔Ｒａに光が照射されることとなる。そして、電磁ソレノイドＡの通電が停止されると、図３５に示すように、開放用係止手段５が元の位置に戻る。
【００６１】
そして、イグニッションキーＩＫをロック位置にあるロータＲａに挿入し（図３６参照）、当該イグニッションキーＩＫをオフ位置まで回転操作すると、図３７の状態とされるとともに、さらにイグニッションキーＩＫを回転操作してオン位置とすると、図３８の状態とされる。一方、図３７で示す如くオフ位置にあるイグニッションキーＩＫをロック位置まで回転操作すると、図４０に示すように、カム部材６における延設部６ｃの当接部６ｃａがアーム部３ａと当接し、開放スライダ３を第１位置に向かって移動させる。
【００６２】
しかして、開放スライダ３が開放用係止手段５に至ると、当該開放用係止手段５の係止爪５ａに干渉することとなるが、その係止爪５ａにおける開放スライダ３との干渉部にはテーパ面５ａａ（図１２、１３参照）が形成されており、開放スライダ３で係止爪５ａが押されると、回転軸Ｌを中心に回動する（非係止位置まで移動する）よう構成されている。これにより、開放スライダ３は、第１位置まで移動することが可能とされている。なお、図３３の状態から回転部材１１を回転させて手動操作手段１２を動作させることによっても、係止爪５ａが当該手動操作手段１２の先端部１２ｃにて押され、回転軸Ｌを中心に回動する（非係止位置に移動する）よう構成されている（図３９参照）。
【００６３】
上記実施形態によれば、シャッター２及び発光手段１０は、ハウジング１を構成するケース部１ａ上に形成されるとともに、発光手段１０からキー孔Ｒａに照射される光の照射範囲αにおけるシャッター２とケース部１ａとの間には、当該光を通過させ得る隙間ｔが形成されたので、発光手段１０によりキー孔Ｒａに光を照射してイグニッションキーＩＫの挿入時の操作性を向上することができるとともに、シャッター２及び発光手段１０のハウジング１に対するレイアウトの自由度を向上することができる。
【００６４】
また、本実施形態に係るシャッター２は、回転部材１１の側面において周方向に亘って形成された段部１１ｃに回転自在に取り付けられることにより、ケース部１ａとの間で隙間ｔが形成されたので、回転部材１１が、シャッター２の回転軸としての機能と、シャッター２とケース部１ａとの間で隙間ｔを保持する機能とを兼ね備えることができ、部品点数の削減及び装置の小型化を図ることができる。
【００６５】
加えて、本実施形態に係る開放手段は、遠隔操作によって作動し得る電磁ソレノイドＡ（アクチュエータ）と、ハウジング１内の第１位置から第２位置までスライド可能とされ、当該第１位置から第２位置にスライドする過程で、シャッター２を連動させて閉塞位置から開放位置まで移動させ得る開放スライダ３と、開放スライダ３を第１位置から第２位置に向かって付勢する開放用付勢手段４と、開放スライダ３を第１位置で係止するとともに、電磁ソレノイドＡ（アクチュエータ）の作動によって当該係止を解除し得る開放用係止手段５とを有したので、構成を簡素化してシャッター２の閉塞位置から開放位置への移動を円滑且つ確実に行わせることができる。
【００６６】
また、キー孔Ｒａに挿入されたイグニッションキーＩＫの回転操作及び当該キー孔Ｒａからの抜き取りに応じて動作するカム部材６と、カム部材６から開放スライダ３まで延設されるとともに、イグニッションキーＩＫの回転操作に伴う当該カム部材６の動作によって、開放用付勢手段４の付勢力に抗して開放スライダ３を第２位置から第１位置まで移動させ、開放用係止手段５による係止を行わせ得る延設部６ｃ（本実施形態においては当接部６ｃａ）とを具備したので、イグニッションキーＩＫの回転操作時の操作力を利用して開放スライダ３を第１位置まで移動させ得るとともに、開放用付勢手段４の付勢力を回復（本実施形態においては、バネの圧縮による付勢力の回復）させることができる。
【００６７】
さらに、本実施形態に係る延設部６ｃは、キー孔Ｒａに挿入されたイグニッションキーＩＫをオフ位置からロック位置まで回転操作する過程において、開放スライダ３を第２位置から第１位置まで移動させるので、オフ位置からロック位置まで回転操作されるイグニッションキーＩＫの操作力を利用して開放スライダ３を第１位置まで移動させ得るとともに、開放用付勢手段４の付勢力を回復させることができる。
【００６８】
またさらに、本実施形態に係る開放スライダ３は、スライド方向Ｘとは異なる逃がし方向Ｙに移動して延設部６ｃ（本実施形態においては当接部６ｃａ）の移動軌跡から退避可能とされ、第２位置にあるとき、ロック位置からオフ位置に向かって移動するカム部材６の延設部６ｃと干渉して逃がし方向Ｙに移動するとともに、オフ位置からロック位置に向かって移動するカム部材６の延設部６ｃと当接して第１位置までスライド可能とされたので、イグニッションキーＩＫの操作力を利用して開放スライダ３を移動させ得るとともに、カム部材６の動作に伴う延設部６ｃの移動を確実に行わせることができる。また、開放スライダ３は、延設部６ｃ（本実施形態においては当接部６ｃａ）と当接して第１位置までスライドした後、カム部材６が更に移動してロック位置まで移動する際、逃がし方向Ｙに移動するので、カム部材６のロック位置までの移動を確実且つ円滑に行わせることができる。
【００６９】
さらに、本実施形態に係る開放スライダ３は、第１位置から第２位置にスライドする過程でシャッター２を押圧することで当該シャッター２を閉塞位置から開放位置まで移動させ得るアーム部３ａを有するとともに、当該アーム部３ａには、閉塞位置にあるシャッター２を係止して開放位置への移動を規制する係止部３ｂが形成されたので、閉塞位置にあるシャッター２が不用意に開放位置に移動してしまうのを確実に防止することができ、防犯性を向上させることができる。
【００７０】
また、本実施形態においては、キー孔Ｒａに挿入されたイグニッションキーＩＫの回転操作及び当該キー孔Ｒａからの抜き取りに応じて動作するカム部材６を具備するとともに、ロータＲがロック位置にあり、且つ、イグニッションキーＩＫがキー孔Ｒａから抜き取られた際、当該カム部材６の動作によってシャッター２を開放位置から閉塞位置に移動させるので、駐車時にロータＲをロック位置まで操作してハンドルバーをロックさせる場合に限ってシャッター２を自動的に閉塞位置まで移動させることができる。
【００７１】
したがって、運転者が防犯を意識した状態（すなわち、ロータＲをロック位置まで操作してキー孔ＲａからイグニッションキーＩＫを抜き取る際）において、ハンドルバーのロックに加え、シャッター２を自動的に閉塞位置まで移動させるとともに、防犯を意識しない状態（すなわち、ロータＲがオフ位置にあるときキー孔ＲａからイグニッションキーＩＫを抜き取る際）において、シャッター２を自動的には閉塞位置まで移動させない構成とすることができ、防犯性の向上と利便性の両立を図ることができる。
【００７２】
またさらに、本実施形態においては、シャッター２と連動可能とされるとともに、非作動位置及び作動位置の間で移動可能とされ、非作動位置から作動位置に移動することでシャッター２を開放位置から閉塞位置に移動させ得る作動部材７と、作動部材７を非作動位置から作動位置に向かって常時付勢する閉塞用付勢手段８と、作動部材７を非作動位置で係止するとともに、ロータＲがロック位置にあり、且つ、イグニッションキーＩＫがキー孔Ｒａから抜き取られた際のカム部材６の動作によって当該係止が解除される閉塞用係止手段９とを具備したので、構成を簡素化してシャッター２の開放位置から閉塞位置への移動を円滑且つ確実に行わせることができる。
【００７３】
特に、本実施形態によれば、開放スライダ３を付勢して移動させるための開放用付勢手段４及び作動部材７を付勢して移動させるための閉塞用付勢手段８がそれぞれコイルスプリングにて構成されているため、２つのコイルスプリングによりシャッター２の開閉動作を行わせることができ、より一層装置構成を簡素化することができ、装置の信頼性を向上させることができる。
【００７４】
さらに加えて、本実施形態に係る手動開放手段は、略円筒状に形成されるとともに、ケース部１ａに対して回転可能とされた回転部材１１と、該回転部材１１をロックして回転を規制するロック手段（本実施形態においては磁石Ｍａ）と、ロック手段のロックを解除して回転部材を回転させ得る解錠手段（本実施形態においてはマグネットキーＭＫ）と、回転部材１１の回転によりシャッター２を閉塞位置から開放位置まで移動させ得る手動操作手段１２とを具備したので、防犯性を維持しつつシャッター２を閉塞位置から開放位置まで手動にて移動させることができる。
【００７５】
また、本実施形態に係る手動操作手段１２は、回転部材１１と開放用係止手段５との間で延設された長尺状部材から成り、回転部材１１の回転により動作して開放用係止手段５による係止を解除させ得るので、手動によるシャッター２の開放位置への移動時、開放用係止手段５による係止を確実に解除させることができる。なお、手動操作手段１２が回転部材１１と開放用係止手段５との間で延設された長尺状部材から成るので、当該回転部材１１と開放用係止手段５との離間寸法が比較的大きくても、手動操作を確実に行わせることができる。
【００７６】
さらに、本実施形態に係る作動部材７には、手動操作手段１２の動作を案内し得る案内部７ｃが形成されたので、手動操作手段１２の動作を安定して行わせることができ、且つ、手動操作手段１２を案内するための手段を別個に配設するものに比べて、装置を小型化することができるとともに部品点数を削減することができる。特に、本実施形態に係る案内部７ｃは、作動部材７の移動方向に沿って形成された溝形状から成るので、作動部材７の移動と手動操作手段１２の移動とを独立して行わせることができ、それぞれの機能を確実に発揮させることができる。
【００７７】
以上、本実施形態について説明したが、本発明はこれに限定されず、発光手段１０からキー孔Ｒａに照射される光の照射範囲におけるシャッター２とケース部１ａとの間に当該光を通過させ得る隙間ｔが形成されたものであれば、開放手段或いは手動開放手段を具備していないものであってもよい。また、開放スライダ３及び作動部材７を常時付勢する開放用付勢手段４及び閉塞用付勢手段８は、コイルスプリングから成るものとされているが、他の汎用的な付勢手段に代えてもよい。
【産業上の利用可能性】
【００７８】
シャッター及び発光手段がハウジングを構成するケース部上に形成されるとともに、発光手段からキー孔に照射される光の照射範囲におけるシャッターとケース部との間に当該光を通過させ得る隙間が形成されたシリンダ錠の保護装置であれば、外観形状が異なるもの或いは他の機能が付加されたもの等にも適用することができる。
【符号の説明】
【００７９】
１  ハウジング
２  シャッター
３  開放スライダ
４  開放用付勢手段
５  開放用係止手段
６  カム部材
７  作動部材
８  閉塞用付勢手段
９  閉塞用係止手段
１０  発光手段
１１  回転部材
１２  手動操作手段
１３  カバー部材
ＭＫ  マグネットキー（解錠手段）
ＩＫ  イグニッションキー
【図１】
2015045179.tif 000003
【図２】
2015045179.tif 000004
【図３】
2015045179.tif 000005
【図４】
2015045179.tif 000006
【図５】
2015045179.tif 000007
【図６】
2015045179.tif 000008
【図７】
2015045179.tif 000009
【図８】
2015045179.tif 000010
【図９】
2015045179.tif 000011
【図１０】
2015045179.tif 000012
【図１１】
2015045179.tif 000013
【図１２】
2015045179.tif 000014
【図１３】
2015045179.tif 000015
【図１４】
2015045179.tif 000016
【図１５】
2015045179.tif 000017
【図１６】
2015045179.tif 000018
【図１７】
2015045179.tif 000019
【図１８】
2015045179.tif 000020
【図１９】
2015045179.tif 000021
【図２０】
2015045179.tif 000022
【図２１】
2015045179.tif 000023
【図２２】
2015045179.tif 000024
【図２３】
2015045179.tif 000025
【図２４】
2015045179.tif 000026
【図２５】
2015045179.tif 000027
【図２６】
2015045179.tif 000028
【図２７】
2015045179.tif 000029
【図２８】
2015045179.tif 000030
【図２９】
2015045179.tif 000031
【図３０】
2015045179.tif 000032
【図３１】
2015045179.tif 000033
【図３２】
2015045179.tif 000034
【図３３】
2015045179.tif 000035
【図３４】
2015045179.tif 000036
【図３５】
2015045179.tif 000037
【図３６】
2015045179.tif 000038
【図３７】
2015045179.tif 000039
【図３８】
2015045179.tif 000040
【図３９】
2015045179.tif 000041
【図４０】
2015045179.tif 000042